(57)【要約】【課題】接地極付きの差込プラグを有する機器を使用する際の使い勝手の向上を図る。【解決手段】テーブルタップは、接地極無しの差込プラグが差込接続される複数の第１の差込口25と、接地極付きの差込プラグが差込接続される複数の第２の差込口26とを備える。そして、テーブルタップは、第１の差込口25に対応した刃受(第１刃受50B)と導電体(第２導電体54)との電気的な接続と、第２の差込口26に対応した刃受(第２刃受51B)と導電体(第２導電体54)との電気的な接続とをスイッチ６で一括して入切するように構成されている。したがって、変換用のアダプタを使用せずに接地極付きの差込プラグを第２の差込口26に差込接続することができるので、接地極付きの差込プラグを有する機器を使用する際の使い勝手の向上を図ることができる。【選択図】        図１
2014220204.tif 000002
【特許請求の範囲】
【請求項１】
複数の差込口が設けられた器体と、前記器体内に収納されて前記差込口に差し込まれる差込プラグの刃を受ける複数の刃受と、前記器体から導出されて外部の電源に接続される電源コードと、前記器体内において前記電源コードと前記刃受とを電気的に接続する導電体と、操作部を外部に露出した状態で前記器体内に収納される１乃至複数のスイッチとを備え、
前記複数の差込口は、接地極無しの差込プラグが差込接続される第１の差込口と、接地極付きの差込プラグが差込接続される第２の差込口とを含み、
前記スイッチは、前記第１の差込口に対応した前記刃受と前記導電体との電気的な接続と、前記第２の差込口に対応した前記刃受と前記導電体との電気的な接続とを一括して入切することを特徴とするテーブルタップ。
【請求項２】
前記スイッチの操作部と、当該スイッチにより前記導電体との電気的な接続が一括して入切される前記刃受に対応した前記第１の差込口および前記第２の差込口とが、前記器体の表面において近接して設けられることを特徴とする請求項１記載のテーブルタップ。
【発明の詳細な説明】
【技術分野】
【０００１】
本発明は、テーブルタップに関する。
【背景技術】
【０００２】
従来のテーブルタップとして特許文献１記載のものを例示する。特許文献１記載の従来例は、箱形の器体を有し、器体の上面および上面に連なる傾斜面にそれぞれ一対の刃挿入孔からなる差込口が３個ずつ設けられている。差込口の各刃挿入孔には、差込プラグの一対の刃(平刃)が各別に差し込まれる。器体の内部には、各差込口(刃挿入孔)に差し込まれた刃を受ける刃受が収納されている。また、器体からは電源コードが引き出されている。この電源コードは、器体の内部で各刃受に接続されている。
【０００３】
また、器体内には合計４個のスイッチ(タンブラスイッチ)が収納され、このうちの３個のスイッチの操作部が器体の上面に露出し、残り１個のスイッチの操作部が器体の傾斜面に露出している。
【０００４】
器体の上面に操作部が露出する３個のスイッチは、同じく器体の上面に配設されている３個の差込口に対応した刃受と、電源コードとの電気的な接続を個別に入切する。また、器体の傾斜面に操作部が露出する１個のスイッチは、同じく器体の傾斜面に配設されている３個の差込口に対応した刃受と、電源コードとの電気的な接続を一括して入切する。
【０００５】
すなわち、特許文献１記載の従来例では、傾斜面の差込口に差込プラグが差込接続された複数(最大で３台)の機器の電源を１個のスイッチで一括して入切できる。また、上面の差込口に差込プラグが差込接続された複数(最大で３台)の機器の電源を３個のスイッチで個別に入切することができる。例えば、パーソナルコンピュータの電源プラグ(差込プラグ)と、プリンターなどの周辺機器の電源プラグ(差込プラグ)とを傾斜面の差込口に差込接続すれば、１個のスイッチを操作してパーソナルコンピュータと周辺機器の電源を一括して入切できる。
【先行技術文献】
【特許文献】
【０００６】
【特許文献１】特開２００７−１０３２５６号公報
【発明の概要】
【発明が解決しようとする課題】
【０００７】
しかしながら、特許文献１記載の従来例は、接地極無しの２極型の差込プラグに対応した差込口しか設けられていない。そのため、接地極付きの差込プラグを有する機器の場合、接地極付きの差込プラグを接地極無しの２極型の差込プラグに変換するためのアダプタを使用しなければならず、手間がかかるという問題があった。
【０００８】
本発明は、上記課題に鑑みて為されたものであり、接地極付きの差込プラグを有する機器を使用する際の使い勝手の向上を図ることを目的とする。
【課題を解決するための手段】
【０００９】
本発明のテーブルタップは、複数の差込口が設けられた器体と、前記器体内に収納されて前記差込口に差し込まれる差込プラグの刃を受ける複数の刃受と、前記器体から導出されて外部の電源に接続される電源コードと、前記器体内において前記電源コードと前記刃受とを電気的に接続する導電体と、操作部を外部に露出した状態で前記器体内に収納される１乃至複数のスイッチとを備え、前記複数の差込口は、接地極無しの差込プラグが差込接続される第１の差込口と、接地極付きの差込プラグが差込接続される第２の差込口とを含み、前記スイッチは、前記第１の差込口に対応した前記刃受と前記導電体との電気的な接続と、前記第２の差込口に対応した前記刃受と前記導電体との電気的な接続とを一括して入切することを特徴とする。
【００１０】
このテーブルタップにおいて、前記スイッチの操作部と、当該スイッチにより前記導電体との電気的な接続が一括して入切される前記刃受に対応した前記第１の差込口および前記第２の差込口とが、前記器体の表面において近接して設けられることが好ましい。
【発明の効果】
【００１１】
本発明のテーブルタップは、接地極無しの差込プラグが差込接続される複数の第１の差込口と、接地極付きの差込プラグが差込接続される複数の第２の差込口とを備え、第１の差込口に対応した刃受と導電体との電気的な接続と、第２の差込口に対応した刃受と導電体との電気的な接続とをスイッチで一括して入切するように構成されているので、変換用のアダプタを使用せずに接地極付きの差込プラグを第２の差込口に差込接続することができ、その結果、接地極付きの差込プラグを有する機器を使用する際の使い勝手の向上を図ることができるという効果がある。
【図面の簡単な説明】
【００１２】
【図１】本発明に係るテーブルタップの実施形態を示す分解斜視図である。
【図２】同上を示し、(ａ)は正面図、(ｂ)は下面図、(ｃ)は右側面図である。
【図３】同上の斜視図である。
【図４】同上の回路構成図である。
【発明を実施するための形態】
【００１３】
以下、本発明に係るテーブルタップの実施形態について、図面を参照して詳細に説明する。
【００１４】
本実施形態のテーブルタップは、図１に示すように器体Ａ、内ボディ３、内カバー４、刃受ブロック５、スイッチ６、コードブッシュ７などを備える。なお、以下の説明では、特に断りの無い限り、図１において上下、左右、前後の各方向を規定する。
【００１５】
器体Ａは、上面が開口した箱状の合成樹脂成形体からなるボディ１と、下面が開口した箱状の合成樹脂成形体からなるカバー２とを、互いの開口同士を突き合わせるように結合して、左右方向に長細い箱形に構成される(図２参照)。
【００１６】
ボディ１は、左右方向を長手方向とする平坦な底板10と、底板10の前端及び後端からそれぞれ起立する長方形状の前側壁11並びに後側壁12と、底板10の左端及び右端からそれぞれ起立して前側壁11及び後側壁12と繋がった左側壁13並びに右側壁14とを有する。
【００１７】
左側壁13並びに右側壁14は、上向きに尖った五角形状に形成されている。また、左側壁13には、半円形の凹所130が設けられている。この凹所130には、電源コード(図示せず)に外挿されるコードブッシュ７の下側部分が嵌合する(図２参照)。
【００１８】
底板10の内面(上面)には、複数(図示例では５つ)のボス100が間隔を空けて立設されている。これらのボス100は、円筒形のねじ挿通孔100Aが上下方向に貫通している。つまり、底板10の外面(下面)側からねじ挿通孔100Aに挿通される組立ねじ(図示せず)が、カバー２に設けられたねじ孔(図示せず)にねじ込まれることにより、ボディ１とカバー２が強固に固定(ねじ止め)される。
【００１９】
カバー２は、左右方向を長手方向とする天板20と、天板20の前端及び後端からそれぞれ起立する長方形状の前側壁21並びに後側壁22と、天板20の左端及び右端からそれぞれ起立して前側壁21及び後側壁22と繋がった左側壁23並びに右側壁24とを有する。
【００２０】
天板20は、左右方向から見て山形に形成されており、前側の斜面(第１斜面200)と後側の斜面(第２斜面201)にそれぞれ複数(図示例では３つ)の差込口25，26が設けられている。
【００２１】
第１斜面200に設けられている差込口(第１の差込口)25は、一対の刃挿通孔250で構成されている。この刃挿通孔250は、図２(ａ)に示すように矩形の孔と、半長円形の孔とが繋がった形状に形成されている。矩形の孔には平刃が挿通され、半長円形の孔には円柱形状の刃(丸ピン)が挿通される。すなわち、第１の差込口25は、一対の平刃を有する接地極無しの２極形の差込プラグと、一対の丸ピンを有する接地極無しの２極形の差込プラグとが択一的に差込接続される。
【００２２】
第２斜面201に設けられている差込口(第２の差込口)26は、一対の電圧極用の刃挿入孔260と接地極用の刃挿入孔261とを併せた３つの刃挿入孔260，261で構成されている。これら３つの刃挿入孔260，261は何れも矩形に形成されており、接地極用の刃挿入孔261の左右両側に電圧極用の刃挿入孔260が配置されている。なお、電圧極用の刃挿入孔260は、長手方向に沿った中心軸が後方で交差するように傾けて設けられている。また、接地極用の刃挿入孔261は、長手方向に沿った中心軸が、電圧極用の刃挿入孔260の中心軸が交差する点を通るように設けられている(図２(ａ)参照)。ただし、第１の差込口25と第２の差込口26は、前後方向に沿って隣り合うように配設されている。
【００２３】
また、カバー２の天板20には、３つの凹部27が長手方向(左右方向)に沿って一定の間隔で設けられている。さらに、凹部27の底面(下面)には、矩形の窓孔28が開口している。なお、この窓孔28を通して、スイッチ６の操作部60が器体Ａの外(外部)に露出する(図２及び図３参照)。
【００２４】
左側壁23並びに右側壁24は、上縁及び下縁が何れも上向きに尖った形状に形成されている。また、左側壁23には、半円形の凹所230が設けられている。この凹所230には、コードブッシュ７の上側部分が嵌合する(図２参照)。
【００２５】
刃受ブロック５は、第１の差込口25に対応した一対の刃受(第１刃受50A，50B)と、第２の差込口26に対応した一対の電圧極用の刃受(第２刃受51A，51B)及び接地極用の刃受(第３刃受52)と、各刃受50，51，52を電気的に接続する複数の導電体53，54，55，56とで構成される。
【００２６】
第１刃受50A，50Bは、互いに前後方向に対向する一対の刃受ばね500と、これら一対の刃受ばね500の左右方向における側端と対向する刃受ばね501とが弾性を有する金属板を加工することで一体に形成されてなる。一対の刃受ばね500は、刃受挿通孔250の半長円形の孔に挿通される丸ピンを前後方向から挟持する。また、刃受ばね501は、刃受挿通孔250の矩形の孔に挿通される平刃を、一対の刃受ばね500の左右方向の側端との間で挟持する。なお、２つの第１刃受50A，50Bは、互いに鏡像の関係となるように形成されている。
【００２７】
第２刃受51A，51Bは、互いに左右方向に対向する一対の刃受ばね510が弾性を有する金属板を加工することで一体に形成されてなる。一方の第２刃受51Aは、第１導電体53を構成する連結板531によって、片方の第１刃受50Aと連結されている。また、他方の第２刃受51Bは、第３導電体55によって、もう片方の第１刃受50Bと連結されている。
【００２８】
第３刃受52は、互いに左右方向に対向する一対の刃受ばね520が弾性を有する金属板を加工することで一体に形成されてなる。なお、合計３つの第３刃受52が第４導電体56によって連結されている。
【００２９】
第１導電体53は、長尺の導電板530と、導電板530の長手方向の両端及び中央にそれぞれかしめ固定された３枚の連結板531とで構成される。なお、連結板531には、後述するスイッチ６の端子62Cが嵌合する嵌合孔532が貫通している。
【００３０】
第２導電体54は、導電性を有する長尺の板材からなり、長手方向の両端と中央にそれぞれ嵌合孔540が貫通している。なお、これら３つの嵌合孔540にも、後述するスイッチ６の端子62Aが嵌合する。
【００３１】
第３導電体55は、導電性を有する長尺の板材からなり、長手方向の一端側(左側)に嵌合孔550が貫通し、長手方向の他端側(右側)に第１刃受50Bと第２刃受51Bが連結されている。なお、これら３つの第３導電体55の嵌合孔540にも、後述するスイッチ６の端子62Bがそれぞれ嵌合する。
【００３２】
第４導電体56は、導電性を有する長尺の板材からなり、３つの第３刃受52が等しい距離をおいてそれぞれ連結されている。
【００３３】
内ボディ３並びに内カバー４は、刃受ブロック５を保持するとともに、各刃受50〜52間の絶縁距離を確保するために設けられている。内ボディ３は、絶縁性を有する合成樹脂材料により、上面に複数の凹所30を有する直方体状に形成されている。そして、内ボディ３上面の各凹所30内に、それぞれ刃受ばね510，…が各別に収納される。また、内ボディ３の左右両側の側壁には、第１〜第４導電体53〜56が嵌め込まれる複数の溝31が形成されている。
【００３４】
ここで、ボディ１の底板10の上面から３つのリブ101が等間隔に突設されている。一方、内ボディ３の下面にはリブ101と嵌合する嵌合凹所(図示せず)が設けられており、嵌合凹所にリブ101を嵌合させることで内ボディ３が位置決めされた状態でボディ１の内底面(底板10の上面)に載置される。
【００３５】
内カバー４は、絶縁性を有する合成樹脂材料により、上下両側に開口した矩形の筒状に形成されている。また、内カバー４は、複数の壁40が内部に設けられている。そして、内カバー４は、刃受ブロック５を間に挟むようにして、上から内ボディ３に被せられる。このとき、複数の壁40で仕切られた各空間に、内ボディ３の凹所30に収納された刃受ばね510，…が各別に配置される。なお、内カバー４の左右両側の壁には、第１〜第４導電体53〜56を逃げるための複数の溝41が形成されている。
【００３６】
スイッチ６は、直方体形状のハウジング61と、ハウジング61の上面に露出した操作部60と、ハウジング61の下面より突出する３つの端子62(62A，62B，62C)とを有する。このスイッチ６は、従来周知である照光式のタンブラスイッチ(照光スイッチ)であって、操作部60の操作に応じて接点63が開閉し、且つ接点63が閉じているときに発光素子(ネオンランプ)64が発光するように構成されている。なお、このスイッチ６は、発光素子64の発する光を、透光性を有する合成樹脂材料で形成された操作部60を通して外部に放射することにより、オン状態であることを報知するとともに、暗所において操作部60の位置を知らしめている。
【００３７】
ここで、本実施形態のテーブルタップの回路構成について、図４を参照して簡単に説明する。第１導電体53が電源コード８及び電源プラグ９の一方の電圧極Ｎと接続されている。また、第２導電体54が電源コード８及び電源プラグ９の他方の電圧極Ｌと接続されている。さらに、第４導電体56が電源コード８及び電源プラグ９の接地極Ｅと接続されている。
【００３８】
スイッチ６は、接点63の一端に接続されている端子62(62A)が第２導電体54と接続され、接点63の他端に接続されている端子62(62B)が第３導電体55に接続されている。また、スイッチ６は、発光素子64を介して接点63の他端に接続されている端子(端子62C)が第１導電体53と接続されている。
【００３９】
すなわち、スイッチ６がオフしている(接点63が開いている)ときは、第３導電体55が第２導電体54と切り離され、第１刃受50Bと第２刃受51Bが電圧極Ｌと導通しないことで第１の差込口25及び第２の差込口26に差込接続された差込プラグに給電されない。このとき、発光素子64も電圧極Ｌと導通しないために発光しない。
【００４０】
一方、スイッチ６がオンしている(接点63が閉じている)ときは、第３導電体55が第２導電体54と接続され、第１刃受50Bと第２刃受51Bが電圧極Ｌと導通することで第１の差込口25及び第２の差込口26に差込接続された差込プラグに給電される。このとき、発光素子64も電圧極Ｌと導通するために発光する。
【００４１】
上述のように本実施形態は、接地極無しの差込プラグが差込接続される複数の第１の差込口25と、接地極付きの差込プラグが差込接続される複数の第２の差込口26とを備える。そして、本実施形態は、第１の差込口25に対応した刃受(第１刃受50B)と導電体(第２導電体54)との電気的な接続と、第２の差込口26に対応した刃受(第２刃受51B)と導電体(第２導電体54)との電気的な接続とをスイッチ６で一括して入切するように構成されている。したがって、変換用のアダプタを使用せずに接地極付きの差込プラグを第２の差込口26に差込接続することができるので、接地極付きの差込プラグを有する機器を使用する際の使い勝手の向上を図ることができる。
【００４２】
また、本実施形態では、スイッチ６の操作部60と、スイッチ６により導電体(第２導電体54)との電気的な接続が一括して入切される刃受(第１刃受50B及び第２刃受51B)に対応した第１の差込口25および第２の差込口26とが、器体Ａの表面において近接して設けられる。故に、使用者が各スイッチ６と差込口25，26との対応関係を容易に把握することができる。
【００４３】
しかも、本実施形態では、図２及び図３に示すように、器体Ａの表面(カバー２の上面)において、長手方向の中央に配置されているスイッチ６と、そのスイッチ６の左隣に配置されている第１の差込口25及び第２の差込口26との間が溝29で仕切られている。同様に、長手方向の中央に配置されている第１の差込口25及び第２の差込口26と、その第１の差込口25及び第２の差込口26の右隣に配置されているスイッチ６との間も溝29で仕切られている。つまり、これら２つの溝29によって、スイッチ６と第１の差込口25及び第２の差込口26からなる各組が仕切られているので、使用者が各スイッチ６と差込口25，26との対応関係をより容易に把握することができる。
【符号の説明】
【００４４】
Ａ  器体
１  ボディ
２  カバー
５  刃受ブロック
６  スイッチ
25  第１の差込口
26  第２の差込口
50A，50B  第１刃受
51A，51B  第２刃受
52  第３刃受
53  第１導電体
54  第２導電体
55  第３導電体
60  操作部
【図１】
2014220204.tif 000003
【図２】
2014220204.tif 000004
【図３】
2014220204.tif 000005
【図４】
2014220204.tif 000006